(57)【要約】【課題】回転ブラシカバーが回転して開放した後に傾倒になりにくく、且つ回転ブラシカバーからの回転ブラシ脱離を効果的に回避できる掃除機用床ブラシ等を提供する。【解決手段】掃除機用床ブラシ（１００）であって、第１ロック部材（１１）が設けられた床ブラシ本体（１）と、下端が第２ロック部材の設けられた回転軸（２１）を介して床ブラシ本体（１）に回転可能に接続し、回転して一定角度に開くと、第１ロック部材（１１）と第２ロック部材が結合し、上端には係合結合部が設けられた回転ブラシカバー（２）と、回転ブラシカバー（２）に回転可能に設けられ、下端が回転ブラシカバー（２）の下端に接続し、係合部が上端に設けられた回転ブラシとを含み、係合部と係合結合部との結合により、回転ブラシカバー（２）は回転ブラシ（３）を連れて床ブラシ本体（１）に対し回転するようにする。【選択図】  図３
2017121466.tif 000002
【特許請求の範囲】
【請求項１】
第１ロック部材が設けられた床ブラシ本体と、
回転ブラシカバーであって、下端が第２ロック部材が設けられた回転軸を介して前記床ブラシ本体に回転可能に接続し、前記回転ブラシカバーが回転して一定角度に開くと、前記第１ロック部材と第２ロック部材とが結合して前記回転ブラシカバーが前記床ブラシ本体にロックされ、上端には係合結合部が設けられた前記回転ブラシカバーと、
前記回転ブラシカバーに回転可能に設けられ、下端が前記回転ブラシカバーの下端に接続し、上端に係合部が設けられた回転ブラシとを含み、
前記係合部と前記係合結合部との結合により、前記回転ブラシカバーが前記回転ブラシを連れて前記床ブラシ本体に対し回転するようにする、
ことを特徴とする掃除機用床ブラシ。
【請求項２】
前記第１ロック部材と第２ロック部材のうち、一方が弾性突起構造であり、他方が第１ロック溝であり、前記第１ロック溝と前記弾性突起構造の対応位置に前記回転軸が回転すると、前記弾性突起構造が前記ロック溝内に差し込むことにより、前記回転ブラシカバーを前記床ブラシ本体にロックする、
ことを特徴とする請求項１に記載の掃除機用床ブラシ。
【請求項３】
前記弾性突起構造は、下端が前記床ブラシ本体に接続するロック弾性部材と、前記ロック弾性部材の上端に接続するロックスナップ部材とを含み、前記ロック弾性部材は前記ロックスナップ部材を連れて往復運動することができ、前記ロックスナップ部材の上端面には、第１突起が設けられており、
前記第１ロック溝は、前記回転軸に形成されて前記第１突起に結合し、前記第１ロック溝と前記第１突起の対応位置に前記回転軸が回転すると、前記第１突起が前記第１ロック溝に差し込むことにより、前記回転ブラシカバーを前記床ブラシ本体にロックする、
ことを特徴とする請求項２に記載の掃除機用床ブラシ。
【請求項４】
前記ロックスナップ部材には、下端が開口する第１取付溝が開けられており、前記ロック弾性部材の上端は、前記第１取付溝内に位置し、
前記床ブラシ本体には、第２取付溝が開けられており、前記第２取付溝の底壁には、第１突起の取付柱が設けられており、前記ロック弾性部材の下端は、前記取付柱に嵌めて設けられる、
ことを特徴とする請求項３に記載の掃除機用床ブラシ。
【請求項５】
前記回転軸には、退避溝が開けられており、前記回転ブラシカバーが回転して前記一定角度に開く前に、前記第１突起の上端面は、前記退避溝の底壁に当接する、
ことを特徴とする請求項３又は４に記載の掃除機用床ブラシ。
【請求項６】
前記第１ロック部材は、前記床ブラシ本体に接続する弾性片であり、前記弾性片の上端面には、第２突起が設けられており、
前記第２ロック部材は、前記回転軸に開けられ且つ前記第２突起に結合する第２ロック溝であり、前記第２ロック溝と前記第２突起の対応位置に前記回転軸が回転すると、前記第２突起が前記第２ロック溝に差し込むことにより、前記回転ブラシカバーを前記床ブラシ本体にロックする、
ことを特徴とする請求項１に記載の掃除機用床ブラシ。
【請求項７】
前記係合部は、前記回転ブラシの外壁面に設けられる弾性突起であり、前記係合結合部は、前記回転ブラシカバーの内壁面に設けられる第１係合溝であり、又は、
前記係合部は、前記回転ブラシの外壁面に設けられる第２係合溝であり、前記係合結合部は、前記回転ブラシカバーの内壁面に設けられる弾性突起である、
ことを特徴とする請求項１〜６のいずれか一項に記載の掃除機用床ブラシ。
【請求項８】
前記係合部は、下端が前記回転ブラシの外壁面に接続する弾性部材と、前記弾性部材の上端に接続するスナップ部材とを含み、前記弾性部材は前記スナップ部材を連れて往復運動することができ、前記スナップ部材の上端面には、第３突起が設けられており、
前記係合結合部は、前記回転ブラシカバーの内壁面に開けられ且つ前記第３突起に結合する第３係合溝である、
ことを特徴とする請求項１〜６のいずれか一項に記載の掃除機用床ブラシ。
【請求項９】
前記第３係合溝は、貫通溝であり、前記回転ブラシカバーには、前記貫通溝に上から下へ差し込むボタンを更に含み、前記ボタンが前記貫通溝に差し込むと、前記第３突起が前記貫通溝から離れる、
ことを特徴とする請求項８に記載の掃除機用床ブラシ。
【請求項１０】
前記係合結合部は、上端が前記回転ブラシカバーの内壁面に接続する弾性部材と、前記弾性部材の下端に接続するスナップ部材とを含み、前記弾性部材は前記スナップ部材を連れて往復運動することができ、前記スナップ部材の下端面には、第４突起が設けられており、前記係合部は、前記回転ブラシーの外壁面に開けられ且つ前記第４突起に結合する第４係合溝である、
ことを特徴とする請求項１〜６のいずれか一項に記載の掃除機用床ブラシ。
【請求項１１】
前記回転ブラシカバーには、トリガー部が設けられており、前記床ブラシ本体には、マイクロスイッチが設けられており、
前記回転ブラシカバーが前記床ブラシ本体に被せて結合すると、前記トリガー部は、前記マイクロスイッチをトリガーし、前記回転ブラシに接続する制御回路をオンにし、
前記回転ブラシカバーが開くと、前記トリガー部は、マイクロスイッチに対するトリガー作用を解除して、前記制御回路をオフにする、
ことを特徴とする請求項１〜１０のいずれか一項に記載の掃除機用床ブラシ。
【請求項１２】
前記回転ブラシカバーは、
前記床ブラシ本体と結合して前記取付空間を形成する蓋体と、
前記蓋体と前記床ブラシ本体との間に接続して前記蓋体を前記床ブラシ本体に接続する接続部とを含み、
前記トリガー部は、前記蓋体と前記接続部のうちいずれか一つに設けられる、
ことを特徴とする請求項１１に記載の掃除機用床ブラシ。
【請求項１３】
前記接続部は、回転軸を含み、前記蓋体は、前記回転軸を介して回転して前記床ブラシ本体に被せて結合し、前記トリガー部は、前記回転軸に設けられ、前記蓋体が回転して被せると、前記回転軸が回転し、前記トリガー部により前記マイクロスイッチをトリガーする、
ことを特徴とする請求項１２に記載の掃除機用床ブラシ。
【請求項１４】
前記接続部は、回転軸を含み、前記蓋体は、前記回転軸を介して回転して前記床ブラシ本体に被せて結合し、前記トリガー部は、前記蓋体に設けられ、前記蓋体が回転して被せると、前記トリガー部が前記マイクロスイッチをトリガーする、
ことを特徴とする請求項１２に記載の掃除機用床ブラシ。
【請求項１５】
前記接続部は、係合部材と挿入部材のうち少なくとも一つを含み、前記回転ブラシカバーは、前記係合部材と前記挿入部材のうち前記少なくとも一つを介して前記床ブラシ本体に接続し、前記トリガー部は、前記蓋体に設けられている、
ことを特徴とする請求項１２に記載の掃除機用床ブラシ。
【請求項１６】
前記回転ブラシカバーが前記床ブラシ本体に被せて結合すると、前記トリガー部は、前記マイクロスイッチに直接接触してトリガーする、
ことを特徴とする請求項１１〜１５のいずれか一項に記載の掃除機用床ブラシ。
【請求項１７】
前記マイクロスイッチは、
前記床ブラシ本体に固定されて、且つ前記制御回路に接続する固定部材と、
前記固定部材に設けられる弾性部材と、
前記固定部材に設けられ、前記弾性部材と前記固定部材との間に位置するボタンとを含み、
前記トリガー部は、前記弾性部材を介して前記ボタンを押圧することにより、前記制御回路をオンにし、
前記トリガー部が前記弾性部材から離れると、前記ボタンが復帰し、前記制御回路をオフにする、
ことを特徴とする請求項１１〜１６のいずれか一項に記載の掃除機用床ブラシ。
【請求項１８】
前記床ブラシ本体に設けられ、前記マイクロスイッチと結合する伝動部材を更に含み、
前記回転ブラシカバーが前記床ブラシ本体に被せて結合すると、前記トリガー部は、前記伝動部材をトリガーし、前記伝動部材を介して前記マイクロスイッチを間接的にトリガーする、
ことを特徴とする請求項１１〜１５のいずれか一項に記載の掃除機用床ブラシ。
【請求項１９】
請求項１〜１８のいずれか一項に記載の掃除機用床ブラシを含むことを特徴とする掃除機。
【発明の詳細な説明】
【技術分野】
【０００１】
本発明は、掃除機の技術分野に関し、特に掃除機用床ブラシ及びそれを具備する掃除機に関する。
【背景技術】
【０００２】
従来技術において、掃除機の回転ブラシカバーは、一端が回転軸を介して床ブラシ本体に回転可能に接続されるが、回転して開くと、傾倒しがちである。
【０００３】
また、回転ブラシは、一端が回転ブラシカバーの一端に接続するように回転ブラシカバーに取り付けられ、回転ブラシカバーに追従して床ブラシ本体に対して回転するが、他端と回転ブラシカバーの他端との間に信頼できる接続構造がないため、回転ブラシカバーに追従して回転する過程で、他端が回転ブラシカバーの他端から脱離しがちである。
【０００４】
また、掃除機の回転ブラシカバーが開放しても、回転ブラシが作動するため、使用者を誤って傷つける恐れがある。
【発明の概要】
【発明が解決しようとする課題】
【０００５】
本発明の目的は、従来技術における少なくとも一つの技術的課題を解決することである。本発明の一つの目的は、回転ブラシカバーが回転して開放した後に傾倒になりにくく、且つ回転ブラシカバーからの回転ブラシ脱離を効果的に回避できる掃除機用床ブラシを提供することである。
【０００６】
本発明の別の目的は、上述した床ブラシを含む掃除機を提供することである。
【課題を解決するための手段】
【０００７】
本発明の第１態様の掃除機用床ブラシは、第１ロック部材が設けられた床ブラシ本体と、下端が第２ロック部材の設けられた回転軸を介して前記床ブラシ本体に回転可能に接続し、回転して一定角度に開くと、前記第１ロック部材と第２ロック部材の結合により前記床ブラシ本体にロックされ、上端には係合結合部が設けられた回転ブラシカバーと、前記回転ブラシカバーに回転可能に設けられ、下端が前記回転ブラシカバーの下端に接続し、係合部が上端に設けられた回転ブラシとを含み、前記係合部と前記係合結合部との結合により、前記回転ブラシカバーは前記回転ブラシを連れて前記床ブラシ本体に対し回転するようにする。
【０００８】
本発明の掃除機用床ブラシは、第１ロック部材と第２ロック部材を設けることにより、回転ブラシカバーが回転して一定角度に開くと、第１ロック部材と第２ロック部材の結合により、回転ブラシカバーを床ブラシ本体にロックし、回転ブラシカバーの傾倒を防止する。また、結合可能な係合部と係合結合部を設けることにより、回転ブラシの上端と回転ブラシカバーの上端を確実に接続することで、回転ブラシと回転ブラシカバーを確実に接続する。回転ブラシは、回転ブラシカバーに追従して回転可能であり、回転過程で回転ブラシの上端が回転ブラシカバーから脱離することを回避する。
【０００９】
本発明の一つの実施形態において、前記第１ロック部材と第２ロック部材のうち、一方が弾性突起構造であり、他方が第１ロック溝であり、前記第１ロック溝と前記弾性突起構造の対応位置に前記回転軸が回転すると、前記弾性突起構造が前記第１ロック溝内に差し込むことにより、前記回転ブラシカバーを前記床ブラシ本体にロックする。
【００１０】
本発明の一つの実施形態において、前記弾性突起構造は、下端が前記床ブラシ本体に接続するロック弾性部材と、前記ロック弾性部材の上端に接続するロックスナップ部材とを含み、前記ロック弾性部材は前記ロックスナップ部材を連れて往復運動することができ、前記ロックスナップ部材の上端面には、第１突起が設けられている。前記ロック溝は、前記回転軸に形成されて前記第１突起に結合し、前記第１ロック溝と前記第１突起の対応位置に前記回転軸が回転すると、前記第１突起が前記第１ロック溝に差し込むことにより、前記回転ブラシカバーを前記床ブラシ本体にロックする。
【００１１】
本発明の一つの実施形態において、前記ロックスナップ部材には、下端が開口する第１取付溝が開けられており、前記ロック弾性部材の上端は、前記第１取付溝内に位置する。前記床ブラシ本体には、第２取付溝が開けられており、前記第２取付溝の底壁には、第１突起の取付柱が設けられており、前記ロック弾性部材の下端は、前記取付柱に嵌めて設けられる。
【００１２】
本発明の一つの実施形態において、前記回転軸には、退避溝が開けられており、前記回転ブラシカバーが回転して前記一定角度に開く前に、前記突起の上端面は、前記退避溝の底壁に当接する。
【００１３】
本発明の一つの実施形態において、前記第一ロック部材は、前記床ブラシ本体に接続する弾性片であり、前記弾性片の上端面には、第２突起が設けられている。前記第２ロック部材は、前記回転軸に開けられて前記第２突起に結合する第２ロック溝であり、前記第２ロック溝と前記第２突起の対応位置に前記回転軸が回転すると、前記第２突起が前記第２ロック溝に差し込むことにより、前記回転ブラシカバーを前記床ブラシ本体にロックする。
【００１４】
本発明の一つの実施形態において、前記係合部は、前記回転ブラシの外壁面に設けられる弾性突起であり、前記係合結合部は、前記回転ブラシカバーの内壁面に設けられる第１係合溝であり、又は、前記係合部は、前記回転ブラシの外壁面に設けられる第２係合溝であり、前記係合結合部は、前記回転ブラシカバーの内壁面に設けられる弾性突起である。
【００１５】
本発明の一つの実施形態において、前記係合部は、下端が前記回転ブラシの外壁面に接続する弾性部材と、前記弾性部材の上端に接続するスナップ部材とを含み、前記弾性部材は前記スナップ部材を連れて往復運動することができ、前記スナップ部材の上端面には、第３突起が設けられている。前記係合結合部は、前記回転ブラシカバーの内壁面に開けられて前記第３突起に結合する第３係合溝である。
【００１６】
本発明の一つの実施形態において、前記第３係合溝は、貫通溝であり、前記回転ブラシカバーには、前記貫通溝に上から下へ差し込むボタンを更に含み、前記ボタンが前記貫通溝に差し込むと、前記第３突起が前記貫通溝から離れる。
【００１７】
本発明の一つの実施形態において、前記係合結合部は、上端が前記回転ブラシカバーの内壁面に接続する弾性部材と、前記弾性部材の下端に接続するスナップ部材とを含み、前記弾性部材は前記スナップ部材を連れて往復運動することができ、前記スナップ部材の下端面には、第４突起が設けられており、前記係合部は、前記回転ブラシーの外壁面に開けられて前記第４突起に結合する第４係合溝である。
【００１８】
本発明の一つの実施形態において、前記回転ブラシカバーには、トリガー部が設けられており、前記床ブラシ本体には、マイクロスイッチが設けられている。前記回転ブラシカバーが前記床ブラシ本体に被せて結合すると、前記トリガー部は、前記マイクロスイッチをトリガーし、前記回転ブラシに接続する制御回路をオンにし、前記回転ブラシカバーが開くと、前記トリガー部は、マイクロスイッチに対するトリガー作用を解除して、前記制御回路をオフにする。
【００１９】
本発明の一つの実施形態において、前記回転ブラシカバーは、前記床ブラシ本体と結合して前記取付空間を形成する蓋体と、前記蓋体と前記床ブラシ本体との間に接続して前記蓋体を前記床ブラシ本体に接続する接続部とを含み、前記トリガー部は、前記蓋体と前記接続部のうちのいずれか一つに設けられる。
【００２０】
本発明の一つの実施形態において、前記接続部は、回転軸を含み、前記蓋体は、前記回転軸を介して回転して前記床ブラシ本体に被せて結合し、ここで、前記トリガー部は、前記回転軸に設けられ、前記蓋体が回転して被せると、前記回転軸が回転し、前記トリガー部により前記マイクロスイッチをトリガーする。
【００２１】
本発明の一つの実施形態において、前記接続部は、回転軸を含み、前記蓋体は、前記回転軸を介して回転して前記床ブラシ本体に被せて結合し、ここで、前記トリガー部は、前記蓋体に設けられ、前記蓋体が回転して被せると、前記トリガー部が前記マイクロスイッチをトリガーする。
【００２２】
本発明の一つの実施形態において、前記接続部は、係合部材と挿入部材のうちの少なくとも一つを含み、前記回転ブラシカバーは、前記係合部材と前記挿入部材のうちの前記少なくとも一つを介して前記床ブラシ本体に接続し、ここで、前記トリガー部は、前記蓋体に設けられている。
【００２３】
本発明の一つの実施形態において、前記回転ブラシカバーが前記床ブラシ本体に被せて結合すると、前記トリガー部は、前記マイクロスイッチに直接接触してトリガーする。
【００２４】
本発明の一つの実施形態において、前記マイクロスイッチは、前記床ブラシ本体に固定されて、且つ前記制御回路に接続する固定部材と、前記固定部材に設けられる弾性部材と、前記固定部材に設けられ、前記弾性部材と前記固定部材との間に位置するボタンとを含み、前記トリガー部は、前記弾性部材を介して前記ボタンを押圧することにより、前記制御回路をオンにし、前記トリガー部が前記弾性部材から離れると、前記ボタンが復帰し、前記制御回路がオフになる。
【００２５】
本発明の一つの実施形態において、前記床ブラシ本体に設けられ、前記マイクロスイッチと結合する伝動部材を更に含み、前記回転ブラシカバーが前記床ブラシ本体に被せて結合すると、前記トリガー部は、前記伝動部材をトリガーし、前記伝動部材を介して前記マイクロスイッチを間接的にトリガーする。
【００２６】
本発明の第２態様の掃除機は、上述した本発明の第１態様の掃除機用床ブラシを含む。
【００２７】
本発明の付加的な特徴及び利点は、以下の説明において部分的に示され、この説明から一部が明らかになるか、または、本発明の実施により理解され得る。
【図面の簡単な説明】
【００２８】
本発明の上述および／または付加的な特徴と利点は、下記の添付図面を参照した実施形態に対する説明により、明らかになり、理解されることが容易になる。
【図１】本発明の実施形態による掃除機用床ブラシの模式図であり、回転ブラシカバーが閉鎖状態にある。
【図２】図１にマークされるＡ部の拡大模式図である。
【図３】図１に示す床ブラシの模式図であり、回転ブラシカバーがロック状態にある。
【図４】図３にマークされるＢ部の拡大模式図である。
【図５】本発明の実施形態による掃除機用床ブラシの模式図である。
【図６】図５におけるＣ部の拡大模式図である。
【図７】本発明の実施形態による掃除機用床ブラシの模式図であり、前記回転ブラシカバーが開放状態にある。
【図８】図７にマークされるＤ部の拡大模式図である。
【図９】図７に示す掃除機用床ブラシの模式図であり、前記回転ブラシカバーが閉鎖状態にある。
【図１０】図９にマークされるＥ部の拡大模式図である。
【発明を実施するための形態】
【００２９】
以下に、本発明の実施形態を詳細に説明する。前記実施形態の例が図面に示されるが、同一または類似する符号は、常に、相同又は類似の部品、或いは、相同又は類似の機能を有する部品を表す。以下に、図面を参照しながら説明される実施形態は例示的なものであり、本発明を解釈するためだけに用いられ、本発明を限定するものと理解されてはならない。
【００３０】
本発明の説明において、「中心」、「上」、「下」、「前」、「後」、「左」、「右」、「鉛直」、「水平」、「頂」、「底」、「内」、「外」などの用語が示す方位又は位置関係は、図示に基づく方位又は位置関係であり、本発明を便利にまたは簡単に説明するために使用されるものであり、指定された装置又は部品が特定の方位にあり、特定の方位において構造され操作されると指示又は暗示するものではないので、本発明に対する限定と理解してはいけない。
【００３１】
なお、「第１」、「第２」の用語は目的を説明するためだけに用いられるものであり、比較的な重要性を指示又は暗示するか、或いは示された技術的特徴の数を黙示的に指示すると理解してはいけない。そこで、「第１」、「第２」が限定されている特徴は一つ又はより多くの前記特徴を含むことを明示又は暗示するものである。本発明の説明において、特に断りがなければ、「複数」とは、二つ又は二つ以上を意味する。
【００３２】
以下、本発明の第１実施形態による掃除機（図示せず）用の床ブラシ１について、図１〜図１０を参考して記載する。
【００３３】
図１と図３に示すように、本発明の第１実施形態による掃除機用床ブラシ１００は、床ブラシ本体１と、回転ブラシカバー２と、回転ブラシ３とを含む。
【００３４】
具体的に、床ブラシ本体１には、第１ロック部材が設けられている。回転ブラシカバー２は、下端が回転軸２１を介して床ブラシ本体１に回転可能に接続することにより、上端が床ブラシ本体１に被せて結合するか、床ブラシ本体１から脱離する。回転軸２１には、第２ロック部材が設けられている。回転ブラシカバー２は、回転して一定角度に開くと、第１ロック部材と第２ロック部材の結合により、床ブラシ本体１にロックされる。回転ブラシカバー２の上端には、係合結合部が設けられている。
【００３５】
回転ブラシ３は、回転ブラシカバー２に回転可能に設けられ、下端が回転ブラシカバー２の下端に接続し、係合部が上端に設けられている。係合部と係合結合部との結合により、回転ブラシ３は、床ブラシ本体１に対し回転するように回転ブラシカバー２に追従する。
【００３６】
本発明の実施形態による掃除機用床ブラシ１００において、床ブラシ本体１と、回転ブラシカバー２と、回転ブラシ３とを含む。回転軸２１は、回転ブラシカバー２に固定され、回転ブラシカバー２に追従して床ブラシ本体１に対して回転できる。且つ回転軸２１には、床ブラシ本体１の第１ロック部材に結合する第２ロック部材が設けられている。図３と図４に示すように、回転ブラシカバー２は、回転して一定角度に開くと、第１ロック部材と第２ロック部材の結合により、床ブラシ本体１にロックされ、傾倒を防止する。図１と図２に示すように、回転ブラシカバー２が当該一定角度に開く前に、及び、床ブラシ本体１に被せて結合するとき、第１ロック部材と第２ロック部材が離間し、回転ブラシカバー２が自由に回転できる。
【００３７】
回転ブラシ３の下端が回転ブラシカバー２の下端に接続し、且つ、係合部と係合結合部の結合により、回転ブラシ３の上端と回転ブラシカバー２の上端がしっかり接続され、回転ブラシ３と回転ブラシカバー２をしっかり接続し、回転ブラシ３が回転ブラシカバー２に追従して回転することができ、回転中に回転ブラシ３の上端が回転ブラシカバー２から脱離することを回避する。回転ブラシ３を回転ブラシカバー２に取り付け、又は回転ブラシカバー２から取り出すとき、係合部と係合結合部を結合させ、又は結合を解除させ、回転ブラシ３の上端と回転ブラシカバー２上端を接続又は離間させする。それから回転ブラシ３の下端を回転ブラシカバー２の下端に接続し、又は回転ブラシカバー２の下端から取り出せばよく、回転ブラシ３が回転ブラシカバー２に追従して回転し脱離を避けるだけではなく、回転ブラシカバー２における回転ブラシ３の着脱が実現される。
【００３８】
ここで、実際の使用において、回転ブラシカバー２のロック位置、即ち回転ブラシカバー２のロックするときの回転角の大きさを合理的に設計し、それからロック位置に基づいて、第１ロック部材と第２ロック部材の位置を設定することができる。
【００３９】
本発明の一部の実施形態において、第１ロック部材と第２ロック部材のうち、一方が弾性突起構造１１であり、他方が第１ロック溝２１１である。第１ロック溝２１１と弾性突起構造１１の対応する位置に回転軸２１が回転すると、弾性突起構造１１が第１ロック溝２１１内に差込むことにより、回転ブラシカバー２を床ブラシ本体１にロックする。
【００４０】
具体的に、本発明の第１実施形態において、図２と図４に示すように、弾性突起構造１１（即ち第１ロック部材）は、下端が床ブラシ本体１に接続するロック弾性部材１と、ロック弾性部材１の上端に接続するロックスナップ部材２とを含み、ロック弾性部材１はロックスナップ部材２を連れて往復するようにし、ロックスナップ部材２の上端面には、第１突起１１３が設けられている。第２ロック部材は、回転軸２１に開けられて第１突起１１３に結合する第１ロック溝２１１である。第１ロック溝２１１と第１突起１１３の対応位置に回転軸２１が回転すると、第１突起１１３が第１ロック溝２１１に差し込むことにより、回転ブラシカバー２を床ブラシ本体１にロックする。
【００４１】
上述した実施形態において、ロック弾性部材１は、下端が床ブラシ本体１に接続し、上端がロックスナップ部材２に接続することにより、床ブラシ本体１とロックスナップ部材２の間に支持され、ロックスナップ部材２に追従して往復運動ができ、且つ、ロックスナップ部材２には第１突起１１３が設けられている。図３と図４に示すように、回転ブラシカバー２が一定角度に回転すると、回転軸２１の第１ロック溝２１１が第１突起１１３に結合する位置に回転し、第１突起１１３が第１ロック溝２１１に差し込み、回転ブラシカバー２を床ブラシ本体１にロックし、回転ブラシカバー２の傾倒を防止する。回転ブラシカバー２が当該一定角度の位置から離れると、第１突起１１３が第１ロック溝２１１から離間し、回転ブラシカバー２が回転する。
【００４２】
好ましい実施形態として、図２と図４に示すように、ロックスナップ部材２には、下端が開口する第１取付溝１１２１が開けられており、ロック弾性部材１の上端は、第１取付溝１１２１内に位置し、しっかりと固定される。
【００４３】
更に、図２と図４に示すように、床ブラシ本体１には、第２取付溝１２が開けられており、第２取付溝１２の底壁には、上へ突起する取付柱１３が設けられており、ロック弾性部材１の下端は、取付柱１３に嵌めて設けられる。よって、ロック弾性部材１は、下端がしっかりと固定され、第１ロック部材の作動の信頼性が向上する。
【００４４】
更に、図２と図４に示すように、ロックスナップ部材２の外面のサイズは、第２取付溝１２の内壁面のサイズに結合し、ロックスナップ部材２が第２取付溝１２で往復運動する。
【００４５】
上述した実施形態において、ロックスナップ部材２の外面のサイズを第２取付溝１２の内壁面のサイズに結合することにより、第２取付溝１２の内壁面は、ロックスナップ部材２の運動に対する案内機能を果たし、回転軸２１に追従した第１ロック部材の回転を防止する。よって、回転ブラシカバー２が当該一定角度に回転すると、第１ロック部材が第２ロック部材と結合でき、第１ロック部材と第２ロック部材の結合の精確性向上を確保する。
【００４６】
本発明の一つの実施形態において、図２と図４に示すように、ロック弾性部材１は、コイルばねである。
【００４７】
本発明の一つの実施形態において、図２と図４に示すように、回転軸２１には、退避溝２１２が開けられており、回転ブラシカバー２が回転して一定角度に開く前に、第１突起１１３の上端面は、退避溝２１２の底壁に当接する。
【００４８】
上述した実施形態において、回転軸２１には、退避溝２１２も開けられている。回転ブラシカバー２が回転して一定角度に開く前に、第１突起１１３の上端面は、退避溝２１２の底壁に当接する。回転ブラシカバー２のロック位置から床ブラシ本体１に被せて結合するまで、第１突起１１３の上端面は、再び退避溝２１２の底壁に当接する。退避溝２１２を設けることにより、ロック弾性部材１の過度な圧縮を回避し、回転軸２１の回転中にその外壁面と第１突起１１３の干渉を回避し、回転ブラシカバー２の回転自由度が向上する。
【００４９】
本発明の第２実施形態において、第１ロック部材は、床ブラシ本体１に接続する弾性片であり、弾性片の上端面には、第２突起が設けられている。第２ロック部材は、回転軸２１に開けられて第２突起に結合する第２ロック溝である。第２ロック溝と第２突起の対応位置に回転軸２１が回転すると、第２突起が第２ロック溝に差し込むことにより、回転ブラシカバー２を床ブラシ本体１にロックする。
【００５０】
上述した実施形態において、弾性片に第２突起を設け、第２突起と第２ロック溝の結合により、同様に、回転ブラシカバー２が一定角度に回転するときのロックを実現し、回転ブラシカバー２の傾倒を防止することができる。
【００５１】
本発明の第３実施形態において、第１ロック部材は、床ブラシ本体１に開けられる第３ロック溝であり、第２ロック部材は、回転軸２１の外面に設けられる弾性突起である。弾性突起と第３ロック溝の対応位置まで回転軸２１が回転すると、弾性突起が第３ロック溝に差し込むことにより、回転ブラシカバー２を床ブラシ本体１にロックする。
【００５２】
上述した実施形態において、回転軸２１に弾性突起を設け、床ブラシ本体１に第３ロック溝を設け、弾性突起と第３ロック溝の結合により、同様に、回転ブラシカバー２の傾倒防止目的を実現することができる。もちろん、床ブラシ本体１に弾性突起を設け、回転軸２１に第３ロック溝を設けても、回転ブラシカバー２の傾倒防止目的を実現することもできる。
【００５３】
上述した弾性突起の材質を合理的に選択して、第１ロック部材と第２ロック部材の引き締めの実現を確保することが好ましい。
【００５４】
本発明の第１実施形態において、係合部は、回転ブラシ３の外壁面に設けられる弾性突起であり、係合結合部は、回転ブラシカバー２の内壁面に設けられる第１係合溝である。
【００５５】
もちろん、本発明は、これに限定されない。本発明の第２実施形態において、図５と図６に示すように、係合部は、回転ブラシ３の外壁面に設けられる第２係合溝３２１であり、係合結合部は、回転ブラシカバー２の内壁面に設けられる弾性突起２２である。
【００５６】
上述した実施形態において、弾性突起２２と第１係合溝３２１の結合により、回転ブラシ３の上端と回転ブラシカバー２の上端を接続し、回転中の回転ブラシ３の脱離を回避し、且つ弾性突起２２と第１係合溝３２１の結合又は結合解除の力の度合いにより、回転ブラシカバー２での回転ブラシ３の容易な着脱が実現される。弾性突起２２は、回転ブラシ３又は回転ブラシカバー２とは一体式構造であってもよく、適切な材質を選択して適切な大きさの弾性の弾性突起２２を別途作製し、当該弾性突起２２を回転ブラシ３又は回転ブラシカバー２に接続してもよく、いずれも本発明の保護範囲内に含まれる。
【００５７】
本発明の第３実施形態において、係合部は、下端が回転ブラシ３の外壁面に接続する弾性部材と、弾性部材の上端に接続するスナップ部材とを含み、弾性部材はスナップ部材を連れて往復するようにし、スナップ部材の上端面には、第３突起が設けられている。係合結合部は、回転ブラシカバー２の内壁面に開けられて第３突起に結合する第３係合溝である。
【００５８】
上述した実施形態において、第１弾性部材は、下端が回転ブラシ３の外壁面に接続し、上端がスナップ部材に接続することにより、回転ブラシ３の外壁面とスナップ部材の間に支持され、スナップ部材が追従して往復運動でき、且つスナップ部材には第３突起が設けられ、第３突起と第３係合溝の結合により、回転ブラシ３の上端と回転ブラシカバー２の上端を接続し、回転ブラシ３の回転ブラシカバー２からの脱離を回避する。回転ブラシ３を取り外すとき、弾性部材の弾性により、第３突起と第３係合溝を離間させれば、回転ブラシ３の上端と回転ブラシカバー２の上端を離間させることができる。同様に、回転ブラシ３を回転ブラシカバー２に取り付けるとき、弾性部材の弾性変形により、第３突起を第３係合溝に係合することができ、回転ブラシ３の上端と回転ブラシカバー２の上端を接続させる。且つ、弾性部材の存在により、回転ブラシ３の装着時の力の度合いが適当であり、簡単で容易に行われる。
【００５９】
回転ブラシ３の外壁に、弾性部材が取り付けられる第３取付溝を開けることが好ましい。
【００６０】
弾性部材がコイルばねであることが好ましい。
【００６１】
更に、第３係合溝は、貫通溝であり、回転ブラシカバー２には、貫通溝に上から差し込むボタンを更に含み、ボタンが貫通溝に差し込むと、第３突起が貫通溝から離れる。
【００６２】
上述した実施形態において、回転ブラシ３を取り出すとき、ボタンを下へ押圧し、ボタンが貫通溝に差し込むことにより、第３突起を貫通溝から突き上げる。回転ブラシ３を取り付けるとき、ボタンを押圧し、ボタンを上へ移動させ、第３突起が第３係合溝に差し込み、回転ブラシ３を回転ブラシカバー２に取り付ける。ボタンを設けることにより、回転ブラシ３の着脱が容易に行われる。
【００６３】
本発明の第４実施形態において、係合結合部は、上端が回転ブラシカバー２の内壁面に接続する弾性部材と、弾性部材の下端に接続するスナップ部材とを含み、弾性部材はスナップ部材を連れて往復するようにし、スナップ部材の下端面には、第４突起が設けられており、係合部は、回転ブラシー３の外壁面に開けられて第４突起に結合する第４係合溝である。
【００６４】
上述した実施形態において、係合結合部は、回転ブラシカバー２に設けた弾性部材とスナップ部材を含み、係合部は、回転ブラシー３に設けた第４係合溝である。同様に、回転ブラシカバー２の回転中に回転ブラシー３が脱離することを回避することができ、回転ブラシカバー２での回転ブラシー３の着脱が容易に行われる。
【００６５】
本発明の一つの具体的な実施形態において、図５に示すように、回転ブラシ３は、回転ブラシ本体３１と、回転ブラシ本体３１の上端部に被せて結合するように設けられる端部蓋３２を含み、端部蓋３２には係合部が設けられている。
【００６６】
本発明の一つの実施形態において、床ブラシ１００は、回転ブラシカバー２の下端部に位置し、回転ブラシ３を回転駆動する駆動部材を更に含む。
【００６７】
上述した実施形態において、駆動部材は、回転ブラシ３を回転駆動し、掃除機を作動させ、且つ回転ブラシ３の下端部に接続する。好ましい実施形態として、固定溝を開ける形式により、回転ブラシ３の下端部を固定溝に差し込み、更に回転ブラシ３の下端部と回転ブラシカバー２の下端部を接続させる。回転ブラシ３を取り外すとき、回転ブラシ３の下端部を固定溝から取り出せば、回転ブラシ３の下端部と回転ブラシカバー２の下端部を離間させることができる。
【００６８】
図７〜図１０に示すように、回転ブラシカバー２には、トリガー部２０３が設けられており、床ブラシ本体１には、マイクロスイッチ４０が設けられている。回転ブラシカバー２が床ブラシ本体１に被せて結合すると、トリガー部２０３がマイクロスイッチ４０をトリガーし、回転ブラシに接続する制御回路をオンにする。回転ブラシカバー２が開くと、トリガー部２０３がマイクロスイッチ４０に対するトリガー作用を解除して、制御回路をオフにする。
【００６９】
図７と図９に示すように、回転ブラシカバー２は、開閉可能に床ブラシ本体１に設けられ、回転ブラシカバー２と床ブラシ本体１の間に取付空間が画定される。即ち、回転ブラシカバー２が床ブラシ本体１に被せて結合することができ、床ブラシ本体１と結合して取付空間を形成する。回転ブラシアセンブリーは、取付空間に設けられ、制御回路を有する。回転ブラシカバーには、マイクロスイッチ４０との結合に適したトリガー部２０３が設けられている。
【００７０】
マイクロスイッチ４０は、床ブラシ本体１に設けられ、回転ブラシアセンブリーの制御回路に電気的に接続し、制御回路のオンオフを制御する。マイクロスイッチ４０は、床ブラシ本体１に設けられ、回転ブラシカバー２が床ブラシ本体１に被せて結合するとき、トリガー部２０３がマイクロスイッチ４０をトリガーし、制御回路をオンにする。回転ブラシカバー２が開くと、トリガー部２０３がマイクロスイッチ４０に対するトリガー作用を解除して、制御回路をオフにする。
【００７１】
よって、回転ブラシカバー２にトリガー部２０３を設け、トリガー部２０３とマイクロスイッチ４０が結合する。回転ブラシカバー２が被せて結合する時に、トリガー部２０３が直接又は間接的にマイクロスイッチ４０をトリガーし、回転ブラシー３を正常に作動させる。一方、回転ブラシカバー２の開放時に、トリガー部２０３のマイクロスイッチ４０に対するトリガー作用が解除され、回転ブラシー３の作動を停止させる。よって、使用者の誤操作で回転ブラシカバー２を開放したときに、回転ブラシー３で使用者を誤って傷つけることを避ける。製品の安全性が向上し、製品の市場競争力が高まる。
【００７２】
具体的に、回転ブラシカバー２は、全体的に床ブラシ本体１に回転可能に接続し、反転することにより開閉してもよく、床ブラシ本体１に係合又は挿入して接続してもよく、即ち、取り外すことにより開閉し、全体として床ブラシ本体１に被せて結合したり、全体として床ブラシ本体１から離れることで開く。
【００７３】
本発明の一部の実施形態において、図１と図３に示すように、回転ブラシカバー２は、床ブラシ本体１と結合して取付空間を形成する蓋体２０１と、蓋体２０１と床ブラシ本体１との間に接続して蓋体２０１を床ブラシ本体１に接続する接続部とを含む。ここで、トリガー部２０３は、蓋体２０１と接続部のうちのいずれか一つに設けられる。つまり、トリガー部２０３は、蓋体２０１に設けられてもよく、接続部に設けられてもよい。
【００７４】
上述した実施形態において、回転ブラシカバー２は、蓋体２０１と接続部とを含む。蓋体２０１は、床ブラシ本体１と結合して取付空間を形成し、回転ブラシー３に被せて結合し、回転ブラシー３の作動時に使用者を傷つけることを回避し、床ブラシ１００の安全性を向上させる。取付け空間に位置する回転ブラシアセンブリーは、蓋体２０１に設けられてもよく、床ブラシ本体１に設けられてもよい。回転ブラシアセンブリーは、床ブラシ本体１に設けられることが好ましく、構造が簡単であり、装着もより便利に行われる。接続部は、蓋体２０１と接続して床ブラシ本体１と結合する。接続部は、蓋体２０１を床ブラシ本体１に固定させ、回転ブラシカバー２が床ブラシ本体１から脱離することを回避し、床ブラシ１００の安全性を更に向上させる。
【００７５】
本発明の一部の実施形態において、図７〜図１０に示すように、接続部は、回転軸２１を含む。蓋体２０１は、回転軸２１を介して回転して床ブラシ本体１に被せて結合する。トリガー部２０３は、回転軸２１に設けられる。蓋体２０１が回転して被せると、回転軸２１が回転し、トリガー部２０３によりマイクロスイッチ４０をトリガーする。
【００７６】
当該実施形態において、回転ブラシカバー２が回転して床ブラシ本体１に被せて結合する提案について、回転ブラシカバー２が回転軸２１の回転により床ブラシ本体１に被せて結合すると、トリガー部２０３を回転軸２１に設ける。よって、回転して被せると、トリガー部２０３も、蓋体２０１が完全に床ブラシ本体１に被せて結合するまで、回転軸２１に追従して回転する。そのとき、トリガー部２０３もちょうどマイクロスイッチ４０に結合する位置に回転し、マイクロスイッチ４０をトリガーし、回転ブラシアセンブリーの制御回路のオンにし、掃除機の正常な作動を確保する。一方、蓋体２０１が回転し開くと、トリガー部２０３も回転してマイクロスイッチ４０から離間し、回転ブラシアセンブリーの制御回路が直ちにオフになる。すると、回転ブラシー３が直ちに作動しなくなり、回転ブラシー３で使用者を誤って傷つけることを効果的に回避し、床ブラシ１の安全性を向上させる。
【００７７】
本発明の別の実施形態において、接続部は、回転軸２１を含む。蓋体２０１は、回転軸２１を介して回転して床ブラシ本体１に被せて結合する。トリガー部２０３は、蓋体２０１に設けられる。蓋体２０１が回転して被せると、トリガー部２０３がマイクロスイッチ４０をトリガーする。
【００７８】
当該実施形態において、接続部に回転軸２１を含み、即ち、回転ブラシカバー２が回転して床ブラシ本体１に被せて結合する。すると、蓋体２０１に位置するトリガー部２０３も蓋体２０１に追従して回転する。蓋体２０１が完全に床ブラシ本体１に被せて結合すると、トリガー部２０３もちょうどマイクロスイッチ４０に結合する位置に回転し、マイクロスイッチ４０をトリガーし、回転ブラシアセンブリーの制御回路のオンにし、掃除機の正常な作動を確保する。一方、蓋体２０１が回転して開くとき、トリガー部２０３も回転してマイクロスイッチ４０から離間し、回転ブラシアセンブリーの制御回路が直ちにオフになり、回転ブラシー３が直ちに作動しなくなり、回転ブラシー３で使用者を誤って傷つけることを効果的に回避し、床ブラシ１の安全性が向上する。
【００７９】
本発明の別の実施形態において、接続部は、係合部材と挿入部材の少なくとも一つを含む。回転ブラシカバー２は、係合部材と挿入部材の上述の少なくとも一つを介して床ブラシ本体１に接続する。ここで、トリガー部２０３は、蓋体２０１に設けられている。
【００８０】
当該実施形態において、接続部は、係合部材及び／又は挿入部材を含み、即ち、回転ブラシカバー２は、係合及び／又は挿入方式で床ブラシ本体１に被せて結合する。すると、蓋体２０１に位置するトリガー部２０３は、蓋体２０１が床ブラシ本体１に被せて結合するときにだけ、マイクロスイッチ４０をトリガーし、回転ブラシアセンブリーの制御回路のオンにし、掃除機を正常に作動させる。一方、蓋体２０１が床ブラシ本体１から離れると、トリガー部２０３がマイクロスイッチ４０から離間し、マイクロスイッチ４０が復帰し、回転ブラシアセンブリーの制御回路が直ちにオフになり、回転ブラシー３が直ちに作動しなくなり、回転ブラシー３で使用者を誤って傷つけることを効果的に回避し、床ブラシ１の安全性が向上する。
【００８１】
本発明の一部の実施形態において、図９と図１０に示すように、回転ブラシカバー２が床ブラシ本体１に被せて結合すると、トリガー部２０３は、マイクロスイッチ４０に直接接触してトリガーする。
【００８２】
更に、図８と図１０に示すように、マイクロスイッチ４０は、床ブラシ本体１に固定されて、且つ制御回路に接続する固定部材４０１と、固定部材４０１に設けられる弾性部材４０２と、固定部材４０１に設けられ、弾性部材４０２と固定部材４０１との間に位置するボタン４０３とを含む。トリガー部２０３は、ボタン４０３に対する弾性部材４０２の押圧により、制御回路をオンにする。トリガー部２０３が弾性部材４０２から離れると、ボタン４０３が復帰し、、制御回路がオフになる。
【００８３】
更に、弾性部材４０２は、固定部材４０１に回転可能に設けられる。回転ブラシカバー２が被せて結合する時に、トリガー部２０３は、固定部材４０１に対し回転するように弾性部材４０２をトリガーし、ボタン４０３を押圧して制御回路をオンにし、回転ブラシアセンブリーが正常に作動できる。一方、回転ブラシカバー２の開放時に、トリガー部２０３が弾性部材４０２から離間し、弾性部材４０２が復帰する。ボタン４０３に対する圧力が解除されるため、ボタン４０３が自動的に復帰し、制御回路をオフにする。よって、回転ブラシアセンブリーの作動が停止し、使用者を傷つけることを回避する。もちろん、本発明は、これらに限定されない。図８と図１０に示すように、弾性部材４０２は、固定部４０２１と弾性部４０２２を更に含んでもよい。具体的に、固定部４０２１は、一端が固定部材４０１に固定される。弾性部４０２２は、一端が固定部４０２１の他端に接続し、他端がボタン４０３まで伸びる。図８と図１０に示すように、ボタン４０３は、弾性部４０２２の一端に接近することが好ましい。
【００８４】
図８と図１０に示すように、弾性部材４０２は、Ｌ形状弾性片であってもよい。
【００８５】
上述した実施形態において、マイクロスイッチ４０は、回転ブラシアセンブリーの制御回路に接続する固定部材４０１と、弾性部材４０２と、当該制御回路のオンオフを制御できるボタン４０３とを含む。ボタン４０３は、自然状態において、制御回路をオフにする。ボタン４０３が押圧されると、制御回路をオンにする。圧力が解除されると、自動的に復帰できる。弾性部材４０２は、ボタン４０３を押圧するためのものである。具体的に、回転ブラシカバー２が被せて結合する時に、トリガー部２０３は、弾性部材４０２に圧力を与え、弾性部材４０２に弾性変形が生じ、ボタン４０３を押圧し、制御回路をオンにし、回転ブラシアセンブリーが正常に作動する。一方、回転ブラシカバー２の開放時に、トリガー部２０３が弾性部材４０２から離間し、弾性部材４０２が復帰する。ボタン４０３に対する圧力が解除されるため、ボタン４０３が自動的に復帰し、制御回路をオフにする。よって、回転ブラシアセンブリーの作動が停止し、使用者を傷つけることを回避する。
【００８６】
もちろん、当業者は、以下のことを理解すべきである。マイクロスイッチ４０は、上述した構造に限定されず、小さいボタン４０３であってもよく、ほかの構造であってもよく、マイクロスイッチ４０の機能を果たせばよい。従って、これらの技術的提案も本発明の保護範囲内に含まれる。
【００８７】
弾性部材４０２は、固定部４０２１と弾性部４０２２を含む。固定部４０２１は、弾性部材４０２を固定部材４０１に固定させ、弾性部材４０２の位置ずれを回避することにより、マイクロスイッチ４０の使用信頼性を確保する。弾性部４０２２は、弾性を持ち、弾性変形が生じてボタン４０３に作用力を付加することにより、ボタン４０３で制御回路をオンにする。且つ、弾性部４０２２から固定部材４０１の表面までの距離を、ボタン４０３の自然状態での高さ以上にすることにより、ボタン４０３が弾性部材４０２と固定部材４０１の間に位置することを確保する。
【００８８】
弾性部４０２２と固定部４０２１が接続される一端に接近するようにボタン４０３を設けると、弾性部４０２２の他端は、ボタン４０３から比較的に離れる。回転ブラシカバー２の回転し被せる技術案について、回転ブラシカバー２が完全に床ブラシ本体１に被せて結合するときにだけ、弾性部４０２２は、制御回路をオンにする位置までにボタン４０３を押圧することができる。一方、回転ブラシカバー２の回転し被せる過程では、ボタン４０３により制御回路をオンにすることができない。よって、回転ブラシカバー２がまだ完全に被せて結合していないうちに回転ブラシ３が作動し始まることを避け、製品の安全性を更に向上させる。
【００８９】
本発明の別の実施形態において、床ブラシ１００は、床ブラシ本体１に設けられ、マイクロスイッチ４０と結合する伝動部材を更に含む。回転ブラシカバー２が床ブラシ本体１に被せて結合すると、トリガー部２０３は、伝動部材をトリガーし、伝動部材を介してマイクロスイッチ４０をトリガーする。
【００９０】
上述した実施形態において、トリガー部２０３が伝動部材介してマイクロスイッチ４０をトリガーし、即ち、回転ブラシカバー２が床ブラシ本体１に被せて結合するときに、マイクロスイッチ４０に直接接触せずに、マイクロスイッチ４０を間接的にトリガーするが、同様に、本発明の目的を達成することができる。具体的に、回転ブラシカバー２が被せて結合する時に、トリガー部２０３は、伝動部材に作用力を付加して運動させ、更にマイクロスイッチ４０をトリガーして制御回路をオンにする。一方、回転ブラシカバー２の開放時に、トリガー部２０３が伝動部材から離間し、伝動部材に対する作用力がなくなり、伝動部材のマイクロスイッチ４０対する作用力もなくなり、マイクロスイッチ４０が復帰し、制御回路をオフにする。
【００９１】
本発明の第２実施形態の掃除機は、本発明の上述した第１実施形態の掃除機用床ブラシ１００を含む。
【００９２】
本発明の実施形態による掃除機において、回転ブラシカバー２が回転して一定角度に開くと、第１ロック部材と第２ロック部材の結合により、回転ブラシカバー２を床ブラシ本体１に引き締め、回転ブラシカバー２の傾倒を回避する。回転ブラシカバー２が当該一定角度に開く前に、及び回転ブラシカバー２が床ブラシ本体１に被せて結合するとき、第１ロック部材と第２ロック部材が離間し、回転ブラシカバー２が自由に回転できる。
【００９３】
以上の記載を以下にまとめる。本発明の実施形態による床ブラシ１００において、回転ブラシ３の下端が回転ブラシカバー２の下端に接続し、且つ係合部と係合結合部の結合により、回転ブラシ３の上端と回転ブラシカバー２の上端を接続することにより、回転ブラシ３と回転ブラシカバー２を確実に接続し、回転ブラシ３が回転ブラシカバー２に追従して回転できるようにして、回転中に回転ブラシ３の上端が回転ブラシカバー２から脱離することを回避する。係合部と係合結合部の結合又は結合解除により、回転ブラシカバー２で回転ブラシ３を着脱する。
【００９４】
トリガー部２０３とマイクロスイッチ４０を設けることにより、回転ブラシカバー２が被せて結合する時に、トリガー部２０３が直接又は間接的にマイクロスイッチ４０をトリガーするため、回転ブラシアセンブリーの制御回路がオンになり、駆動部材により回転ブラシ３０１を回転駆動し、掃除機を正常に作動させる。一方、回転ブラシカバー２の開放時に、トリガー部２０３のトリガー作用が解除されるため、マイクロスイッチ４０が復帰し、回転ブラシアセンブリーの制御回路がオフになり、駆動部材の作動が停止して回転ブラシ３０１の回転を停止させ、使用者を傷つけることがない。
【００９５】
なお、トリガー部２０３は、回転ブラシカバー２０に単独に設けられる部材であってもよく、回転ブラシカバー２０の一部であってもよく、いずれもマイクロスイッチ４０のトリガー機能を果たせ、いずれも本発明の保護範囲に含まれる。これについて、当業者が理解すべきである。
【００９６】
上述した第１実施形態の床ブラシ１を設けたため、比較的高い安全性を有し、使用者の誤操作で回転ブラシカバー２０を開放させたとき、使用者を傷つけることがない。
【００９７】
以上の記載を以下にまとめる。本発明による床ブラシ１において、回転ブラシカバー２０にトリガー部２０３を設け、トリガー部２０３がマイクロスイッチ４０と結合する。回転ブラシカバー２０が被せて結合する時に、トリガー部２０３は、直接又は間接的にマイクロスイッチ４０をトリガーし、回転ブラシを正常に作動させる。一方、回転ブラシカバー２０の開放時に、トリガー部２０３のマイクロスイッチ４０に対するトリガー作用が解除させ、回転ブラシの作動を停止させる。よって、使用者が誤操作で回転ブラシカバー２０を開放したときに、誤って使用者を傷つけることを回避する。製品の安全性が向上し、製品の市場競争力が高まる。
【００９８】
具体的に、従来の掃除機において、回転ブラシカバーの開放時に、回転ブラシが依然として作動するため、使用者を誤って傷つける恐れがある。一方、本発明による床ブラシ１において、回転ブラシカバー２０の開放時に、回転ブラシの作動を停止させるため、使用者を傷つけることがない。よって、製品の安全性が向上し、製品の市場競争力が高まる。具体的に、回転ブラシカバー２０が被せて結合する時に、トリガー部２０３は、直接又は間接的にマイクロスイッチ４０をトリガーし、回転ブラシアセンブリーの制御回路をオンにし、駆動部材により回転ブラシを回転駆動し、掃除器を正常に作動させる。一方、回転ブラシカバー２０の開放時に、トリガー部２０３のトリガー作用が解除され、マイクロスイッチ４０が復帰し、回転ブラシアセンブリーの制御回路がオフになり、駆動部材の作動が停止して回転ブラシの回転を停止させ、使用者を傷つけることがない。
【００９９】
本発明の説明において、「一つの実施形態」、「一部の実施形態」、「例示的な実施形態」、「示例」、「具体的な示例」、或いは「一部の示例」などの用語を参考した説明とは、該実施形態或いは示例に結合して説明された具体的な特徴、構成、材料或いは特徴が、本発明の少なくとも一つの実施形態或いは示例に含まれることである。本明細書において、上記用語に対する例示的な描写は、必ずしも同じ実施形態或いは示例を示すことではない。又、説明された具体的な特徴、構成、材料或いは特徴は、いずれか一つ或いは複数の実施形態又は示例において適切に結合することができる。
【０１００】
本発明の実施形態を示して説明したが、当業者は、本発明の原理及び主旨から逸脱することなく、これらの実施形態に対して各種の変化、補正、切り替え及び変形を行うことができる。本発明の範囲は、特許請求の範囲及びその等価物により限定される。
【符号の説明】
【０１０１】
１００：床ブラシ
１：床ブラシ本体
１１：弾性突起構造
１１１：ロック弾性部材
１１２：ロックスナップ部材
１１３：第１突起
１１２１：第１取付溝
１２：第２取付溝
１３：取付柱
２：回転ブラシカバー
２１：回転軸
２１１：第１ロック溝
２１２：退避溝
３：回転ブラシ
２２：弾性突起
３１：回転ブラシ本体
３２：端部蓋
３２１：第２係合溝
２０１：蓋体
２０３：トリガー部
３０：回転ブラシアセンブリー
４０：マイクロスイッチ
４０１：固定部材
４０２：弾性部材
４０２１：固定部
４０２２：弾性部
４０３：ボタン
【図１】
2017121466.tif 000003
【図２】
2017121466.tif 000004
【図３】
2017121466.tif 000005
【図４】
2017121466.tif 000006
【図５】
2017121466.tif 000007
【図６】
2017121466.tif 000008
【図７】
2017121466.tif 000009
【図８】
2017121466.tif 000010
【図９】
2017121466.tif 000011
【図１０】
2017121466.tif 000012